(57)【要約】【課題】主に、屋根継材を簡易な構造のものなどにする。【解決手段】屋根材８と屋根材８とを継ぐための屋根継材９などに関する。  屋根継材９は、上下方向１２に延びるウェブ部１３と、ウェブ部１３の上下端部から横へ延びる上下一対のフランジ部１４とを有するＣ字断面の屋根継材本体１５と、ウェブ部１３の外面からフランジ部１４とは反対の側へ突出して、ウェブ部１３の外面側に位置する屋根材８の端縁部に係合可能な係合片１６と、を有する。  また、屋根３は、上記屋根継材９と、屋根継材９を上方から覆うカバー部２１と、を有する構造（屋根構造）にすることができる。  カバー部２１は、屋根材８に取付けられても良い。  カバー部２１は、裏面に防水材３１を有しても良い。【選択図】図３
2020066897.tif 000002
【特許請求の範囲】
【請求項１】
上下方向に延びるウェブ部と、該ウェブ部の上下端部から横へ延びる上下一対のフランジ部とを有するＣ字断面の屋根継材本体と、前記ウェブ部の外面から前記フランジ部とは反対の側へ突出して、前記ウェブ部の外面側に位置する屋根材の端縁部に係合可能な係合片と、を有することを特徴とする屋根継材。
【請求項２】
請求項１に記載の屋根継材と、該屋根継材を上方から覆うカバー部と、を有することを特徴とする屋根構造。
【請求項３】
前記カバー部は、屋根材に取付けられていることを特徴とする請求項２に記載の屋根構造。
【請求項４】
前記カバー部は、裏面に防水材を有していることを特徴とする請求項２または請求項３に記載の屋根構造。
【請求項５】
前記屋根継材と、該屋根継材に設けられた係合片に係合される立上片を端縁部に有する第一の屋根材と、前記カバー部を有する第二の屋根材と、を備えていることを特徴とする請求項２ないし請求項４のいずれか１項に記載の屋根構造。
【請求項６】
前記第一の屋根材の前記端縁部の位置に、前記屋根継材が、前記係合片と前記立上片とを係合した状態で設置され、前記第一の屋根材の前記端縁部および前記屋根継材が、前記第一の屋根材の隣に設置された前記第二の屋根材の前記カバー部で上方から覆われていることを特徴とする請求項５に記載の屋根構造。
【請求項７】
前記第二の屋根材の水下側の端部に、軒先カバー受金具を介して軒先カバーが取付けられていることを特徴とする請求項５または請求項６に記載の屋根構造。
【請求項８】
第一の屋根材の端縁部の位置に、屋根継材を、該屋根継材に設けられた係合片と前記第一の屋根材の前記端縁部に設けられた立上片とが係合されるように設置し、前記第一の屋根材の隣に第二の屋根材を、該第二の屋根材に設けられたカバー部で前記第一の屋根材の前記端縁部および前記屋根継材を上方から覆うように設置することを特徴とする屋根施工方法。
【請求項９】
前記第二の屋根材の水下側の端部に、軒先カバー受金具を介して軒先カバーを取付けることを特徴とする請求項８に記載の屋根施工方法。
【発明の詳細な説明】
【技術分野】
【０００１】
この発明は、屋根継材、屋根構造、並びに、屋根施工方法に関するものである。
【背景技術】
【０００２】
建物の屋根は、複数枚の屋根材（屋根葺材）によって覆われている。そして、隣接する屋根材の間を、屋根継材を用いて継いだものが存在している。この屋根継材は、屋根材の端縁部間の位置に設置される（例えば、特許文献１〜特許文献３参照）。
【先行技術文献】
【特許文献】
【０００３】
【特許文献１】特開２０１３−１３６８７２号公報
【特許文献２】特開２００５−２３５９０号公報
【特許文献３】特開２００５−１７１５０３号公報
【発明の概要】
【発明が解決しようとする課題】
【０００４】
しかしながら、上記特許文献に記載された屋根継材は、いずれもほぼＵ字断面のものとなっていた。そして、Ｕ字断面の屋根継材は、Ｕ字の両腕部に、隣接して配置される屋根材のそれぞれに対して係合可能な係合片を一対備えていた。そのため、屋根継材の構造などが比較的複雑となっており、改良の余地があった。
【０００５】
そこで、本発明は、主に、上記した問題点を解決することを目的としている。
【課題を解決するための手段】
【０００６】
上記課題を解決するために、本発明は、上下方向に延びるウェブ部と、該ウェブ部の上下端部から横へ延びる上下一対のフランジ部とを有するＣ字断面の屋根継材本体と、前記ウェブ部の外面から前記フランジ部とは反対の側へ突出して、前記ウェブ部の外面側に位置する屋根材の端縁部に係合可能な係合片と、を有することを特徴とする。
【発明の効果】
【０００７】
本発明によれば、上記構成によって、屋根継材を簡易な構造にすることなどができる。
【図面の簡単な説明】
【０００８】
【図１】本実施の形態にかかる屋根継材を使用する建物の屋根構造を示す斜視図である。
【図２】図１のＡ−Ａ線に沿った位置の断面図である。
【図３】図２のＢ部の拡大図である。
【図４】図１のＣ部の拡大図である。
【図５】図４のＤ−Ｄ線に沿った位置の断面図である。
【図６】図４に続く屋根施工方法を示す図である。
【図７】図６に続く屋根施工方法を示す図である。
【発明を実施するための形態】
【０００９】
以下、本実施の形態を、図面を用いて詳細に説明する。
図１〜図７は、この実施の形態を説明するためのものである。
【実施例１】
【００１０】
＜構成＞以下、構成について説明する。
【００１１】
図１は、建物１の屋根構造を示すものである。この建物１は、ユニット建物とされており、建物本体２を構成する複数の建物ユニット２Ａ，２Ｂの上部に、屋根３を構成する屋根ユニット３Ａ，３Ｂを横並びとなる（横方向に隣接する）ようにそれぞれ設置した屋根構造を有している。屋根３は、片流れの傾斜屋根などとされている。但し、この実施例にかかる建物１は、ユニット建物に限るものではなく、様々な構造の建物とすることができる。また、この実施例にかかる屋根３は、屋根ユニット３Ａ，３Ｂを用いたものに限るものではなく、様々な構造の屋根とすることができる。更に、この実施例にかかる屋根３は、片流れの傾斜屋根に限るものではなく、様々な形状の屋根とすることができる。
【００１２】
図２は、図１のＡ−Ａ線に沿った断面を示すものである。屋根３は、垂木５の上に野地板などの屋根下地材６を設置して、屋根下地材６の上に、屋根下地材６を覆うように防水シート７などを敷設した構造を備えている。
【００１３】
そして、屋根下地材６や防水シート７の上に複数枚の屋根材８を並べて設置する。屋根材８は、帯板状の屋根葺材となっている。また、屋根材８は、屋根３の傾斜に沿って水上側（または棟側）から水下側（または軒先側）へ延びるように下り勾配の状態で設置される縦葺材となっている。複数枚の屋根材８は、横方向に隣接配置される。複数枚の屋根材８の間には、屋根継材９が設置される。屋根材８および屋根継材９は、塩ビ鋼板やその他の防水鋼板などで形成される。
【００１４】
そして、上記に対し、この実施例は、以下のような構成を備えるようにしている。
【００１５】
（１）以下、屋根継材９について説明する。
屋根継材９は、図３に示すように、屋根材８と屋根材８とを継ぐためのものであり、屋根材８の端縁部の位置に設置される。そして、屋根継材９は、上下方向１２に延びるウェブ部１３と、ウェブ部１３の上下端部から横へ延びる上下一対のフランジ部１４とを有するＣ字断面の屋根継材本体１５と、ウェブ部１３の外面からフランジ部１４とは反対の側へ突出して、ウェブ部１３の外面側に位置する屋根材８の端縁部に係合可能な係合片１６と、を有している。
【００１６】
ここで、屋根材８の端縁部は、屋根材８の長辺となる辺およびその周辺部分のことであり、特に、ウェブ部１３の外面側に位置する屋根材８のウェブ部１３側の端縁部のことである。以下、ウェブ部１３の外面側に位置する屋根材８を第一の屋根材８Ａとする。具体的な屋根材８の端縁部の形状については後述する。
【００１７】
屋根継材９は、屋根材８の端縁部に沿って延びる所要長さの長尺部材とされる。屋根継材９は、必要に応じて長手方向に連結して使用したり、切断して使用したりできる。
【００１８】
ウェブ部１３は、屋根下地材６とほぼ面直に配置される面を有するものとされる。フランジ部１４は、屋根下地材６とほぼ平行に配置される面を有するものとされる。上下のフランジ部１４は、ウェブ部１３に関して同じ側へ延ばされる。下側のフランジ部１４は、防水シート７などの上から屋根下地材６に当接され、ネジなどの固定具１７で上方から下へ向けて屋根下地材６に固定される。
【００１９】
屋根継材本体１５は、屋根継材９の主要部を構成する本体部分のことである。ウェブ部１３の外面は、フランジ部１４の延設方向とは反対側となる面（または、第一の屋根材８Ａの端縁部側の面）のことである。これに対し、ウェブ部１３の内面は、フランジ部１４の延設方向の面となる。
【００２０】
係合片１６は、屋根継材９に対して１箇所のみ設けられる。係合片１６は、屋根継材本体１５とは別部材で構成され、ウェブ部１３にリベットなどの固定具１８で横方向に固定されている。但し、係合片１６は、屋根継材本体１５と同一の部材で形成することも構造的には可能である。係合片１６は、屋根材８の端縁部に対して係合可能であれば、どのような形状としても良い。具体的な係合片１６の形状については後述する。
【００２１】
（２）以下、屋根構造について説明する。
【００２２】
屋根構造は、上記した屋根継材９と、屋根継材９を上方から覆うカバー部２１と、を有しても良い。
【００２３】
ここで、カバー部２１は、屋根継材９の上側に取付けられる部材である。カバー部２１は、屋根継材９を上方から覆うことができれば、どのようなものとしても良いが、この実施例では、ウェブ部１３とほぼ同じ高さと、フランジ部１４よりも広い幅とを有して、下に開いたほぼＣ字状の断面を有するものとされる。カバー部２１は、屋根材８の端縁部や屋根継材９に沿って延びる所要長さの長尺部材とされる。カバー部２１は、必要に応じて長手方向に連結して使用したり、切断して使用したりできる。カバー部２１は、塩ビ鋼板やその他の防水鋼板などで形成される。
【００２４】
この実施例では、カバー部２１は、屋根継材９の上側のフランジ部１４とほぼ同じかそれよりも若干幅の広い平坦な頂面部２２と、頂面部２２の両端部からそれぞれ外側で且つ斜め下方へ向けて延びる一対の斜面部２３と、各斜面部２３の下端部から屋根下地材６や屋根材８へ向けて、屋根下地材６や屋根材８にほぼ達するか、或いは、僅かに達しない長さで延びる縦面部２４とを有するものとされている。頂面部２２と斜面部２３と縦面部２４とは、一枚の金属板を屈曲して形成されている。
【００２５】
なお、頂面部２２の両側に位置する斜面部２３と縦面部２４とは、それぞれ異なる長さや角度を有する非対称形状にしても良いが、同じ長さや角度を有する対称形状にするのが好ましい。そして、カバー部２１を屋根継材９に上方から装着したときに、頂面部２２が屋根継材９の上側のフランジ部１４の上部に当接（面接触）することで、リベットなどの固定具１８を用いて頂面部２２を上側のフランジ部１４に上から固定できるようになっている。
【００２６】
（３）カバー部２１は、屋根材８に取付けられても良い。
【００２７】
ここで、カバー部２１は、単独で用いるようにしても良いが、屋根材８に取付けて屋根材８と一体化して用いるようにしても良い。この実施例では、屋根材８を、端縁部にカバー部２１が一体に取付けられた一体部品（カバー付屋根材）としている。以下、カバー部２１を一体に有する屋根材８を、第二の屋根材８Ｂとする。この第二の屋根材８Ｂは、第一の屋根材８Ａに隣接して配置される。
【００２８】
なお、第一の屋根材８Ａと第二の屋根材８Ｂとは、屋根材８どうしの継部分においては、屋根下地材６に先に設置される屋根材８が第一の屋根材８Ａとなり、後から設置される屋根材８が第二の屋根材８Ｂとなるものである。但し、第一の屋根材８Ａになるか第二の屋根材８Ｂになるかは、相対的なものである。
【００２９】
カバー部２１を屋根材８に取付けるために、カバー部２１の少なくとも一方の縦面部２４の下端部に対して、頂面部２２とほぼ平行となるように内方へ向けて延びる内折部２５を形成しても良い。
【００３０】
そして、カバー部２１の内折部２５を、屋根材８（第二の屋根材８Ｂ）の平坦な端縁部の上に重ねて、リベットなどの固定具１８で下から固定することで、カバー部２１を屋根材８に取付けるようにしている。内折部２５は、屋根材８に対する取付代であり、頂面部２２とほぼ同じ幅寸法に形成されている。そして、内折部２５は、屋根継材９の下側のフランジ部１４と干渉しないように、斜面部２３の幅範囲内に収まる長さに形成されている。
【００３１】
なお、カバー部２１は、屋根材８の端縁部の一方にのみに取付けるようにしても良いが、この実施例では、図２に示すように、屋根材８（第二の屋根材８Ｂ）の両端部に対してカバー部２１を取付けるようにしている。
【００３２】
（４）カバー部２１は、裏面に防水材３１を有しても良い。
【００３３】
ここで、防水材３１は、第一の屋根材８Ａと屋根継材９との間への水浸入を防止するためのものである。防水材３１は、有効に防水ができるのであれば、どのようなものとしても良い。防水材３１には、定形シールや不定形シールがあるが、この実施例では、ゴム系や発泡樹脂系の材料などによる定形シールを用いている。防水材３１は、少なくとも一方の斜面部２３の裏面に取付けられる。防水材３１は、斜面部２３の幅とほぼ同じかそれよりも若干小さい幅を有するように設けられる。カバー部２１が屋根材８（第二の屋根材８Ｂ）に取付けられて一体化される場合には、その屋根材８（第二の屋根材８Ｂ）との間に対する防水材３１は省略できるので、防水材３１は、第一の屋根材８Ａの側の斜面部２３の裏面のみに対して取付けるようにすれば良い。防水材３１は、カバー部２１を設置したときに、第一の屋根材８Ａの端縁部に達する（接する）ものとされる。
【００３４】
（５）屋根構造は、上記屋根継材９と、屋根継材９に設けられた係合片１６に係合される立上片４１を端縁部に有する第一の屋根材８Ａと、カバー部２１を有する第二の屋根材８Ｂと、を備えたものとしても良い。
【００３５】
ここで、第一の屋根材８Ａは、屋根継材９側の端縁部に立上片４１を有している点が、同じ屋根継材９側の端縁部にカバー部２１を有する第二の屋根材８Ｂとは異なっている。立上片４１は、少なくとも、屋根下地材６とほぼ面直な方向に立ち上がる縦面部４２を有している。縦面部４２には、係合片１６に係合される係合部４３が設けられる。また、縦面部４２の基部（第一の屋根材８Ａの本体部分と縦面部４２とのコーナー部分）には、必要に応じて角型または丸型の角取部４４などを設けても良い。
【００３６】
係合部４３は、縦面部４２の中間部や上部などの位置に設けることができる。この実施例では、係合部４３は、縦面部４２の上部に設けられている。係合部４３は、縦面部４２に形成された（第一の屋根材８Ａの幅中央部へ向かう）内曲部４３ａと、内曲部４３ａの上側へ折返された（内曲部４３ａとは反対側へ向かう）外曲部４３ｂとで構成されている。
【００３７】
内曲部４３ａは、屋根下地材６へ向けて下り勾配に形成され、内曲部４３ａの下端部から上側に反転された外曲部４３ｂは、内曲部４３ａよりも急な角度の上がり勾配とされている。そして、内曲部４３ａと外曲部４３ｂとの間には、鋭角状の空間が形成され、この空間が、係合片１６を収容可能な係合空間４３ｃとされる。外曲部４３ｂは、屋根継材９のウェブ部１３に達しない程度の長さで縦面部４２よりも外側（屋根継材９の側）へ延ばされている。外曲部４３ｂの先端部は、屋根継材９のウェブ部１３よりも低くなっている。外曲部４３ｂと、屋根継材９の斜面部２３との間には、防水材３１を設置するためのスペースが形成されている。
【００３８】
これに対し、係合片１６は、係合空間４３ｃへ挿入係止可能な高さや長さや角度を有している。係合片１６は、ウェブ部１３の外面に当接固定される当接面４５の上端部を外側へ向けて下向きに屈曲形成したものとなっている。
【００３９】
そして、防水材３１は、カバー部２１を屋根継材９に設置したときに、斜面部２３と係合部４３の外曲部４３ｂとの間に圧縮状態で介在されるようになっている。そのために、防水材３１は、斜面部２３と外曲部４３ｂとの間のスペースよりも厚手のものとされている。防水材３１は、外曲部４３ｂの長さと同じかそれよりも長くなるように形成されている。防水材３１には、係合部４３の先端部（下端部）を外側から覆うまたは包持するための突出部３１ａなどを一体に形成しても良い。突出部３１ａは、防水材３１の下端側からほぼ下方へ向けて突設される。これにより、防水材３１は、側面視ほぼＬ字状のものなどになる。
【００４０】
（６）第一の屋根材８Ａの端縁部の位置に、屋根継材９が、係合片１６と立上片４１とを係合した状態で設置されても良い。そして、第一の屋根材８Ａの端縁部および屋根継材９が、第一の屋根材８Ａの隣に設置された第二の屋根材８Ｂのカバー部２１で上方から覆われるようにしても良い。
【００４１】
ここで、第一の屋根材８Ａと第二の屋根材８Ｂの互いに近接する端縁部間の継部分は、立上片４１と屋根継材９とカバー部２１で構成される。そして、第一の屋根材８Ａは、一方の端縁部の立上片４１（の係合部４３）が屋根継材９の係合片１６に係合固定される。また、屋根継材９は、第二の屋根材８Ｂの他方の端縁部のカバー部２１によって上方から覆われる。これにより、第一の屋根材８Ａと第二の屋根材８Ｂとが、屋根継材９を挟んで隣接されると共に、第一の屋根材８Ａの一方の端縁部と、第二の屋根材８Ｂの他方の端縁部とが単純な構造で継がれることになる。
【００４２】
なお、（一方の端縁部に立上片４１を有する）第一の屋根材８Ａについては、他方の端縁部を立上片４１としても良いし、カバー部２１としても良い。また、（他方の端縁部にカバー部２１を有する）第二の屋根材８Ｂについても、一方の端縁部をカバー部２１としても良いし、立上片４１としても良い。但し、隣接する屋根材８間の継部分には、立上片４１とカバー部２１とがそれぞれ１つずつ存在して、間にＣ字断面の屋根継材本体１５を有する屋根継材９が介在されるようにするのが好ましい。例えば、図２では、一方の端縁部に立上片４１を有する第一の屋根材８Ａと、他方の端縁部に立上片４１を有する別の第一の屋根材８Ａとが離して配置され、その間を、両端にカバー部２１を有する第二の屋根材８Ｂで継ぐようにしている。
【００４３】
（７）図４〜図７に示すように、第二の屋根材８Ｂの水下側（軒先側）の端部には、軒先カバー受金具５１（図４、図５）を介して軒先カバー５２が取付けられても良い（図６）。
【００４４】
ここで、軒先カバー受金具５１は、頂面部５１ａと、頂面部５１ａの両側部からほぼ下方へ延びる脚部５１ｂと、脚部５１ｂの下端部から両側外方へ延びる取付面部５１ｃとを有するほぼハット形状をした取付金具とされている（図５）。軒先カバー受金具５１は、第二の屋根材８Ｂの水下側の端部の上に設置され、取付面部５１ｃが第二の屋根材８Ｂの水下側の端部およびその下側に設けられた軒先受梁５３に固定される（図６）。軒先カバー５２の上には、必要に応じて雪止金具５４などが取付けられる（図７）。
【００４５】
（８）以下、屋根施工方法について説明する。
【００４６】
第一の屋根材８Ａの端縁部の位置に、屋根継材９を、屋根継材９に設けられた係合片１６と第一の屋根材８Ａの端縁部に設けられた立上片４１とが係合されるように設置する。次に、第一の屋根材８Ａの隣に第二の屋根材８Ｂを、第二の屋根材８Ｂに設けられたカバー部２１で第一の屋根材８Ａの端縁部および屋根継材９を上方から覆うように設置する。
【００４７】
ここで、第一の屋根材８Ａと屋根継材９とは、どちらを先に設置するようにしても良い。この実施例では、予め第一の屋根材８Ａが取付けられた屋根ユニット３Ａ，３Ｂを工場で製造し、建築現場で建物ユニット２Ａ，２Ｂの上に屋根ユニット３Ａ，３Ｂを設置した後に、隣接する屋根ユニット３Ａ，３Ｂの第一の屋根材８Ａの最も近接する端縁部間を、屋根ユニット３Ａ，３Ｂ間のつなぎとなる第二の屋根材８Ｂで接続する場合について説明する。
【００４８】
この場合には、予め屋根ユニット３Ａ，３Ｂに設置された複数枚の第一の屋根材８Ａにおける、最も外側の第一の屋根材８Ａの最も外側の端縁部の位置に、屋根継材９を設置し、屋根継材９をネジなどの固定具１７で屋根下地材６に固定する。なお、屋根継材９は、第一の屋根材８Ａと共に、工場で取付けても良い。
【００４９】
次に、第一の屋根材８Ａの隣に第二の屋根材８Ｂを設置し、第二の屋根材８Ｂに一体に設けられたカバー部２１で屋根継材９などを上方から覆い隠し、カバー部２１をリベットなどの固定具１８で屋根継材９に固定する。これにより、横方向に隣接する屋根ユニット３Ａ，３Ｂの最も外側に位置して互いに近接している第一の屋根材８Ａの間が、第二の屋根材８Ｂで塞がれる。
【００５０】
（９）その後、第二の屋根材８Ｂの水下側（軒先側）の端部の上側には、図４、図５に示すように、軒先カバー受金具５１などがネジなどの固定具１７で取付けられる（軒先受梁５３に固定される）。そして、図６に示すように、軒先カバー受金具５１の上側に軒先カバー５２が取付けられる。更に、図７に示すように、軒先カバー５２の上側には、必要に応じて雪止金具５４などが取付けられる。
【００５１】
これらの、第二の屋根材８Ｂ、軒先カバー受金具５１、軒先カバー５２、軒先受梁５３、雪止金具５４などは、横方向に隣接する屋根ユニット３Ａ，３Ｂ間の継部分として建築現場にて取付けられるものとなっている。屋根ユニット３Ａ，３Ｂには、工場で製造された段階で、第一の屋根材８Ａの水下側（軒先側）の端部の位置に、軒先カバー６２や雪止金具６４などが予め取付けられている。そして、上記した軒先カバー５２や雪止金具５４を取付けることにより、屋根ユニット３Ａ，３Ｂに予め取付けられている軒先カバー６２や雪止金具６４などの間が横方向に繋がれる。そして、屋根ユニット３Ａ，３Ｂの間が、屋根ユニット３Ａ，３Ｂと同様の構造に仕上げられる。
【００５２】
なお、隣接する屋根ユニット３Ａ，３Ｂ間の継部分以外については、屋根ユニット３Ａ，３Ｂとして工場で製造することができるので、上記とは異なる構造で隣接する屋根材８間を継ぐことなども構造的には可能である。
【００５３】
＜効果＞この実施例によれば、以下のような効果を得ることができる。
【００５４】
（効果 １）屋根継材９は、Ｃ字断面の屋根継材本体１５と、屋根継材本体１５のウェブ部１３の外面から突出する係合片１６とを有するものとしても良い。これにより、屋根継材９は、屋根継材本体１５がＣ字断面となり、係合片１６を１つのみ備えたものとなるため、１つの係合片１６で一枚の屋根材８の端縁部のみを係合保持可能な簡単な構造のものにできる。このように、係合片１６を１つのみ備えた簡単な構造の屋根継材９にしても、屋根材８の端縁部を係合保持して、支障なく屋根３を構築することができる。そのため、屋根継材９自体の構造や、屋根材８に対する屋根継材９の取付状態などを既存のものよりもシンプルにできる。よって、屋根継材９の構造や、屋根継材９を用いた屋根構造や、屋根施工方法を簡易化して、既存のものよりも取扱い易くし、屋根３を施工し易くすることができる。また、上記により、屋根継材９などを小型化して、屋根構造を見栄え良くすることなども可能になる。
【００５５】
（効果 ２）屋根構造は、屋根継材９をカバー部２１で上方から覆うようにしても良い。これにより、上記した屋根継材９と同様の効果が得られると共に、カバー部２１によって屋根継材９を上方から覆うことで、屋根継材９と、屋根継材９に係合される屋根材８の端縁部とを、カバー部２１で簡単・確実に保護することができる。
【００５６】
（効果 ３）屋根構造は、カバー部２１を屋根材８に対して取付けても良い。これにより、カバー部２１と屋根材８とを一体化した一体部品を得ることができる。よって、カバー部２１が取付けられた屋根材８を屋根３に設置することで、屋根継材９を上方から覆うと同時に、端縁部が屋根継材９に係合された別の屋根材８と、カバー部２１が取付けられた屋根材８とを継ぐことができる。そのため、既存のもののように、隣接する屋根材８を屋根継材９に対してそれぞれ係合させる手間や、その後にカバー部２１で屋根継材９および二枚の屋根材８の端縁部を覆う手間などを削減することができる。
【００５７】
（効果 ４）屋根構造は、カバー部２１が裏面に防水材３１を有するものとしても良い。これにより、カバー部２１で屋根継材９を上方から覆うことで、同時に、防水材３１で屋根継材９の周辺の防水を行うことができる。よって、屋根継材９の周辺に対して防水を行う手間を削減することができる。
【００５８】
（効果 ５）屋根構造は、屋根継材９と、第一の屋根材８Ａと、第二の屋根材８Ｂとを備えたものとしても良い。この際、屋根継材９と第一の屋根材８Ａとには、係合片１６と係合部４３とがそれぞれ設けられ、第二の屋根材８Ｂには、屋根継材９に対するカバー部２１が一体に設けられても良い。これにより、屋根継材９や、第一の屋根材８Ａや、第二の屋根材８Ｂの構造を単純化し、使用する部品の種類や部品数を減らすことができる。
【００５９】
（効果 ６）屋根構造は、第一の屋根材８Ａの端縁部の位置に、係合片１６と立上片４１とが係合された状態で屋根継材９が設置され、第一の屋根材８Ａの端縁部および屋根継材９が、第一の屋根材８Ａの隣に設置された第二の屋根材８Ｂに取付けられているカバー部２１で上方から覆われたものとしても良い。これにより、第一の屋根材８Ａと第二の屋根材８Ｂとの継部分の構造を既存のもよりも単純化できる。よって、屋根３を施工し易くすることができる。
【００６０】
（効果 ７）第二の屋根材８Ｂの水下側の端部には、軒先カバー受金具５１を介して軒先カバー５２が取付けられても良い。これにより、第二の屋根材８Ｂの水下側の端部を軒先カバー５２で覆って見栄え良く仕上げることができる。また、軒先カバー受金具５１によって第二の屋根材８Ｂの水下側の端部に軒先カバー５２を取付けることができる。
【００６１】
（効果 ８）屋根施工方法は、第一の屋根材８Ａの端縁部の位置に、屋根継材９を、屋根継材９に設けられた係合片１６と第一の屋根材８Ａの端縁部に設けられた立上片４１とが互いに係合されるように設置し、第一の屋根材８Ａの隣に第二の屋根材８Ｂを設置して、第二の屋根材８Ｂに設けられたカバー部２１で第一の屋根材８Ａの端縁部および屋根継材９を上方から覆わせるようにしても良い。これにより、上記した屋根継材９や屋根構造と同様の作用効果が得られると共に、少ない手順で、第一の屋根材８Ａと第二の屋根材８Ｂとを継いで、簡単に屋根３を施工することができる。よって、例えば、隣接する屋根ユニット３Ａ，３Ｂ間の継部分に適用した場合には、建築現場での施工の手間を少なくして、短期間で上記した継部分を仕上げることができる。
【００６２】
（効果 ９）第二の屋根材８Ｂの水下側の端部には、軒先カバー受金具５１を介して軒先カバー５２を取付けても良い。これにより、（効果 ７）と同様に、第二の屋根材８Ｂの水下側の端部を軒先カバー５２で覆って見栄え良く仕上げることができる。また、軒先カバー受金具５１によって第二の屋根材８Ｂの水下側の端部に軒先カバー５２を取付けることができる。
【符号の説明】
【００６３】
８      屋根材
８Ａ    第一の屋根材
８Ｂ    第二の屋根材
９      屋根継材
１２    上下方向
１３    ウェブ部
１４    フランジ部
１５    屋根継材本体
１６    係合片
２１    カバー部
３１    防水材
４１    立上片（端縁部）
４３    係合部
５１    軒先カバー受金具
５２    軒先カバー
【図１】
2020066897.tif 000003
【図２】
2020066897.tif 000004
【図３】
2020066897.tif 000005
【図４】
2020066897.tif 000006
【図５】
2020066897.tif 000007
【図６】
2020066897.tif 000008
【図７】
2020066897.tif 000009